(57)【要約】【課題】  切り替え操作が簡単な引き出し装置を提供することを課題とする。【解決手段】  引き出し装置１は、固定ケース２と、引き出しケース３と、引き出し部材４と、引き出しケース３と引き出し部材４とをつなぐ第一付勢部材５と、引き出しケース３と引き出し部材４とを係合可能な第一係合部６と、固定ケース２と引き出しケース３とをつなぐ第二付勢部材７と、固定ケース２と引き出しケース３とを係合可能な第二係合部８と、を備える。引き出し装置１は、第一付勢部材５に付勢力が蓄積された状態で、引き出しケース３と引き出し部材４とが係合し、第二付勢部材７の付勢力により引き出しケース３が固定ケース２に収容される収容位置と、第二付勢部材７に付勢力が蓄積された状態で、固定ケース２と引き出しケース３とが係合し、第一付勢部材５の付勢力により引き出し部材４が引き出しケース３から突出する使用位置と、に切り替え可能である。【選択図】  図８
2006076465.tif 000002
【特許請求の範囲】
【請求項１】
車両の内装パネルに埋設される固定ケースと、
該固定ケースに対して車室内方向に突出可能な引き出しケースと、
該引き出しケースに対して車室内方向に突出可能であり乗員が使用可能な使用部を持つ引き出し部材と、
該引き出しケースと該引き出し部材との間に介装され、該引き出しケースに対して離間する方向に該引き出し部材を付勢する第一付勢部材と、
該第一付勢部材の付勢力に抗して該引き出しケースと該引き出し部材とを係合可能な第一係合部と、
該固定ケースと該引き出しケースとの間に介装され、該固定ケースに対して接近する方向に該引き出しケースを付勢する第二付勢部材と、
該第二付勢部材の付勢力に抗して該固定ケースと該引き出しケースとを係合可能な第二係合部と、を備え、
該第一付勢部材に付勢力が蓄積された状態で、該第一係合部により該引き出しケースと該引き出し部材とが係合し、該第二付勢部材の付勢力により該引き出しケースが該固定ケースに収容される収容位置と、
該第二付勢部材に付勢力が蓄積された状態で、該第二係合部により該固定ケースと該引き出しケースとが係合し、該第一付勢部材の付勢力により該引き出し部材が該引き出しケースから突出する使用位置と、に切り替え可能な引き出し装置。
【請求項２】
前記引き出し部材は、前記使用位置から前記収容位置に切り替える際、前記第二係合部による前記固定ケースと前記引き出しケースとの係合を解除し、前記第二付勢部材に蓄積された付勢力を解放する係合解除部を持つ請求項１に記載の引き出し装置。
【請求項３】
前記第一係合部は、ハートカムと、該ハートカムに係合可能な係合ピンと、からなり、
該ハートカムおよび該係合ピンのうち、一方は前記引き出しケースに、他方は前記引き出し部材に、各々配置されている請求項１に記載の引き出し装置。
【請求項４】
前記第二係合部は、被係合窓と、該被係合窓に進入可能な係合フィンと、からなり、
該被係合窓および該係合フィンのうち、一方は前記固定ケースに、他方は前記引き出しケースに、各々配置されている請求項１に記載の引き出し装置。
【請求項５】
前記内装パネルにおける前記固定ケースよりも上方部分は、車室内に突出している請求項１に記載の引き出し装置。
【請求項６】
前記使用位置における前記使用部の車室外方向端は、前記内装パネルの前記上方部分の車室内方向端よりも、車室内に配置されている請求項５に記載の引き出し装置。
【請求項７】
前記収容位置から前記使用位置に切り換える際、まず前記引き出し部材が前記引き出しケースから突出し、次に該引き出しケースが前記固定ケースから突出する請求項１に記載の引き出し装置。
【請求項８】
前記引き出し部材には、さらに、該引き出し部材が前記引き出しケースから突出することにより、車室内に出現するグリップが配置されている請求項７に記載の引き出し装置。
【請求項９】
前記使用部は、カップを保持するカップ保持部である請求項１に記載の引き出し装置。
【発明の詳細な説明】
【技術分野】
【０００１】
本発明は、例えば、カップホルダ、小物入れ、携帯電話ホルダなど、車室内において乗員に使用される引き出し装置に関する。
【背景技術】
【０００２】
例えば、特許文献１には、外ケースと内ケースとホルダ本体とを備えるカップホルダが紹介されている。外ケースは、インストルメントパネルに埋設されている。内ケースは、外ケースに出入り可能である。ホルダ本体は、内ケースに出入り可能である。
【０００３】
収容位置においては、ホルダ本体は、内ケースに収容されている。内ケースは、外ケースに収容されている。一方、使用位置においては、ホルダ本体は、内ケースから車室内方向に突出している。内ケースは、外ケースから車室内方向に突出している。
【特許文献１】特開２００４−１７５１６８号公報
【発明の開示】
【発明が解決しようとする課題】
【０００４】
収容位置から使用位置への切り替え時、および使用位置から収容位置への切り替え時において、外ケースに対して内ケースがスライドし、かつ内ケースに対してホルダ本体がスライドすることにより、ホルダ本体は外ケースに対して移動する。言い換えると、ホルダ本体は二段階に移動する。このため、ホルダ本体の外ケースに対する移動量は比較的大きい。
【０００５】
しかしながら、特許文献１記載のカップホルダによると、収容位置から使用位置への切り替え、および使用位置から収容位置への切り替えは、全工程に亘り、手動で行われている。つまり、収容位置から使用位置へ切り替える場合、乗員は、外ケースから内ケースを引き出す必要がある。並びに、内ケースからホルダ本体を引き出す必要がある。また、使用位置から収容位置へ切り替える場合、乗員は、外ケースに内ケースを押し込む必要がある。並びに、内ケースにホルダ本体を押し込む必要がある。
【０００６】
このように、乗員は、切り替え時のホルダ本体の移動量が大きいにもかかわらず、切り替えの際、継続的に、ホルダ本体に操作力を加え続ける必要がある。したがって、収容位置から使用位置への切り替え操作、および使用位置から収容位置への切り替え操作が煩雑である。
【０００７】
本発明の引き出し装置は、上記課題に鑑みて完成されたものである。したがって、本発明は、収容位置から使用位置への切り替え操作、および使用位置から収容位置への切り替え操作が簡単な引き出し装置を提供することを目的とする。
【課題を解決するための手段】
【０００８】
（１）上記課題を解決するため、本発明の引き出し装置は、車両の内装パネルに埋設される固定ケースと、該固定ケースに対して車室内方向に突出可能な引き出しケースと、該引き出しケースに対して車室内方向に突出可能であり乗員が使用可能な使用部を持つ引き出し部材と、該引き出しケースと該引き出し部材との間に介装され、該引き出しケースに対して離間する方向に該引き出し部材を付勢する第一付勢部材と、該第一付勢部材の付勢力に抗して該引き出しケースと該引き出し部材とを係合可能な第一係合部と、該固定ケースと該引き出しケースとの間に介装され、該固定ケースに対して接近する方向に該引き出しケースを付勢する第二付勢部材と、該第二付勢部材の付勢力に抗して該固定ケースと該引き出しケースとを係合可能な第二係合部と、を備え、該第一付勢部材に付勢力が蓄積された状態で、該第一係合部により該引き出しケースと該引き出し部材とが係合し、該第二付勢部材の付勢力により該引き出しケースが該固定ケースに収容される収容位置と、該第二付勢部材に付勢力が蓄積された状態で、該第二係合部により該固定ケースと該引き出しケースとが係合し、該第一付勢部材の付勢力により該引き出し部材が該引き出しケースから突出する使用位置と、に切り替え可能なことを特徴とする。
【０００９】
使用部は、引き出し部材に配置されている。収容位置においては、第一係合部により、引き出しケースと引き出し部材とが係合している。並びに、第一付勢部材に付勢力が蓄積されている。収容位置から使用位置に切り替える場合は、第一係合部による引き出しケースと引き出し部材との係合を、解除する。当該係合を解除することにより、第一付勢部材に蓄積された付勢力が解放される。このため、引き出しケースに対して、引き出し部材が、車室内方向に突出する。
【００１０】
また、固定ケースに対して、引き出しケースを突出させる。引き出しケースを突出させると、第二付勢部材に付勢力が蓄積される。引き出しケースの突出量が所定量だけ確保されると、第二係合部により、固定ケースと引き出しケースとが係合する。このようにして、収容位置から使用位置への切り替えが行われる。なお、引き出しケースに対する引き出し部材の突出動作と、固定ケースに対する引き出しケースの突出動作とは、順不同である。
【００１１】
反対に、使用位置から収容位置に切り替える場合は、第二係合部による固定ケースと引き出しケースとの係合を、解除する。当該係合を解除することにより、第二付勢部材に蓄積された付勢力が解放される。このため、固定ケースに引き出しケースが収容される。
【００１２】
また、引き出しケースに引き出し部材を収容する。引き出し部材を収容すると、第一付勢部材に付勢力が蓄積される。引き出し部材の収容量が所定量だけ確保されると、第一係合部により、引き出しケースと引き出し部材とが係合する。このようにして、使用位置から収容位置への切り替えが行われる。なお、引き出しケースに対する引き出し部材の収容動作と、固定ケースに対する引き出しケースの収容動作とは、順不同である。
【００１３】
以上説明したように、収容位置から使用位置へ切り替える場合は、第二付勢部材に付勢力が蓄積される。蓄積された付勢力は、使用位置から収容位置へ切り替える際、引き出しケースを固定ケースに収容するのに用いられる。一方、使用位置から収容位置へ切り替える場合は、第一付勢部材に付勢力が蓄積される。蓄積された付勢力は、収容位置から使用位置へ切り替える際、引き出し部材を引き出しケースから突出させるのに用いられる。
【００１４】
このように、本発明の引き出し装置によると、収容位置から使用位置への切り替え操作の一部が、第一付勢部材の付勢力により行われる。並びに、使用位置から収容位置への切り替え操作の一部が、第二付勢部材の付勢力により行われる。このため、双方向の切り替え操作を比較的簡単に行うことができる。
【００１５】
また、第一付勢部材の付勢力は、使用位置から収容位置への切り替えの際に蓄積される。並びに、第二付勢部材の付勢力は、収容位置から使用位置への切り替えの際に蓄積される。すなわち、第一付勢部材の付勢力および第二付勢部材の付勢力の、蓄積と解放とは、双方向の切り替え操作時に、周期的に行われる。このため、切り替え操作時に、別途、第一付勢部材および第二付勢部材に付勢力を蓄積する工程を加える必要がない。
【００１６】
（２）好ましくは、前記引き出し部材は、前記使用位置から前記収容位置に切り替える際、前記第二係合部による前記固定ケースと前記引き出しケースとの係合を解除し、前記第二付勢部材に蓄積された付勢力を解放する係合解除部を持つ構成とする方がよい。
【００１７】
使用位置において、引き出し部材は、固定ケースおよび引き出しケースよりも、車室内方向に突出している。このため、乗員は引き出し部材を操作しやすい。この点、本構成の引き出し部材には、係合解除部が配置されている。したがって、本構成によると、使用位置から収容位置への切り替え操作を、一層簡単に行うことができる。
【００１８】
（３）好ましくは、前記第一係合部は、ハートカムと、該ハートカムに係合可能な係合ピンと、からなり、該ハートカムおよび該係合ピンのうち、一方は前記引き出しケースに、他方は前記引き出し部材に、各々配置されている構成とする方がよい。本構成によると、比較的簡単に、引き出しケースと引き出し部材との係合、解除を行うことができる。
【００１９】
（４）好ましくは、前記第二係合部は、被係合窓と、該被係合窓に進入可能な係合フィンと、からなり、該被係合窓および該係合フィンのうち、一方は前記固定ケースに、他方は前記引き出しケースに、各々配置されている構成とする方がよい。本構成によると、比較的簡単に、固定ケースと引き出しケースとの係合、解除を行うことができる。
【００２０】
（５）好ましくは、前記内装パネルにおける前記固定ケースよりも上方部分は、車室内に突出している構成とする方がよい。つまり、本構成は、車室内かつ上方から、車室外かつ下方にスラントする内装パネルに、本発明の引き出し装置を配置するものである。本発明の引き出し装置によると、使用位置において、引き出しケースが固定ケースから突出している。並びに、引き出し部材が引き出しケースから突出している。すなわち、引き出し部材は、固定ケースから、二段階に突出している。このため、内装パネルに対する使用部の突出量が比較的大きい。したがって、乗員が内装パネルと干渉しにくい。つまり、使用部の使い勝手がよい。
【００２１】
（６）好ましくは、上記（５）の構成において、前記使用位置における前記使用部の車室外方向端は、前記内装パネルの前記上方部分の車室内方向端よりも、車室内に配置されている構成とする方がよい。本構成によると、使用位置において、使用部の直上に内装パネルが張り出さない。このため、さらに使用部の使い勝手がよい。
【００２２】
（７）好ましくは、前記収容位置から前記使用位置に切り換える際、まず前記引き出し部材が前記引き出しケースから突出し、次に該引き出しケースが前記固定ケースから突出する構成とする方がよい。
【００２３】
本構成によると、引き出しケースに対する引き出し部材の突出代を、乗員の把持代として利用することができる。このため、収容位置から使用位置への切り換え操作が容易になる。
【００２４】
（８）好ましくは、上記（７）の構成において、前記引き出し部材には、さらに、該引き出し部材が前記引き出しケースから突出することにより、車室内に出現するグリップが配置されている構成とする方がよい。
【００２５】
本構成によると、グリップを把持することで、乗員が引き出し部材を引っ張りやすくなる。このため、さらに、収容位置から使用位置への切り換え操作が容易になる。また、収容位置において、車室内からグリップを視認することはできない。このため、収容位置における意匠性が高い。
【００２６】
（９）好ましくは、前記使用部は、カップを保持するカップ保持部である構成とする方がよい。つまり、本構成は、本発明の引き出し装置をカップホルダとして具現化するものである。使用位置における、内装パネルに対するカップ保持部の突出量は、比較的大きい。このため、カップ保持部に対してカップを出し入れする際、カップと内装パネルとが干渉しにくい。したがって、カップ保持部の使い勝手がよい。このように、本発明の引き出し装置は、カップホルダとして具現化するのに好適である。
【発明の効果】
【００２７】
本発明によると、収容位置から使用位置への切り替え操作、および使用位置から収容位置への切り替え操作が簡単な引き出し装置を提供することができる。
【発明を実施するための最良の形態】
【００２８】
以下、本発明の引き出し装置をカップホルダとして具現化した実施の形態について説明する。
【００２９】
まず、本実施形態のカップホルダの構成について説明する。図１に、本実施形態のカップホルダの合体斜視図を示す。なお、図１に示すのは、使用位置である。図２に、同カップホルダの固定ケースと引き出しケースとの分解斜視図を示す。図３に、同カップホルダの引き出しケースと引き出し部材との分解斜視図を示す。図中、前方は、本発明の車室外方向に相当する。後方は、本発明の車室内方向に相当する。
【００３０】
これらの図に示すように、カップホルダ１は、固定ケース２と引き出しケース３と引き出し部材４とコイルスプリング５と第一係合部６と渦巻きばね７と第二係合部８とを備えている。カップホルダ１は、本発明の引き出し装置に含まれる。コイルスプリング５は、本発明の第一付勢部材に含まれる。渦巻きばね７は、本発明の第二付勢部材に含まれる。
【００３１】
固定ケース２は、樹脂製であって、後方に開口する直方体箱状を呈している。固定ケース２の上壁には、矩形の窓２０が開設されている。固定ケース２の左右両側壁外面からは、一対の固定リブ２２が突設されている。一対の固定リブ２２は、固定ケース２の左右両側壁の後縁に配置されている。一対の固定リブ２２には、各々、固定孔２２０が穿設されている。固定孔２２０には、ボルト２２１が挿入される。ボルト２２１により、固定ケース２は、インストルメントパネル（図略）内面に、固定されている。インストルメントパネルは、本発明の内装パネルに含まれる。
【００３２】
固定ケース２の底壁上面からは、左右一対のリール支持リブ２１が突設されている。一対のリール支持リブ２１は、固定ケース２の底壁の前縁に配置されている。一対のリールリブ２１には、各々、リール揺動孔２１０が穿設されている。
【００３３】
渦巻きばね７は、鋼製であって帯状を呈している。渦巻きばね７は、リール７０に巻装されている。渦巻きばね７は、リール７０に巻き取られる方向に付勢されている。渦巻きばね７の自由端には、ばね固定孔７１が穿設されている。リール７０は、左右方向に延びるリール揺動軸７００を備えている。リール揺動軸７００は、前記リール揺動孔２１０に、回転可能に保持されている。
【００３４】
引き出しケース３は、樹脂製であって、後方から見て下方に開口するＣ字を呈している。引き出しケース３は、前記固定ケース２に対して、前後方向にスライド可能である。引き出しケース３の上壁上面からは、左右一対の係合突起３０が突設されている。係合突起３０は、断面三角形状を呈している。係合突起３０は、前記窓２０内に配置されている。
【００３５】
引き出しケース３の上壁下面からは、ばね固定ボス３１とコイルスプリング前端用リブ３２と一対のフィン揺動軸３３とが突設されている（図２、図３においては、説明の便宜上、これらの部材を引き出しケース３上壁と別々に示す。）。
【００３６】
ばね固定ボス３１は、円柱状を呈している。ばね固定ボス３１は、引き出しケース３上壁の左右方向中央に配置されている。ばね固定ボス３１は、前記渦巻きばね７のばね固定孔７１に挿入されている。前述したように、渦巻きばね７は、リール７０に巻き取られる方向に付勢されている。このため、ばね固定ボス３１つまり引き出しケース３は、リール７０つまり固定ケース２方向に、付勢されている。
【００３７】
コイルスプリング前端用リブ３２は、矩形板状を呈している。コイルスプリング前端用リブ３２は、ばね固定ボス３１の後方に配置されている。コイルスプリング前端用リブ３２の後面からは、円柱状の前端用ボス３２０が突設されている。
【００３８】
一対のフィン揺動軸３３は、コイルスプリング前端用リブ３２の左右両側に配置されている。
【００３９】
引き出しケース３の左右両側壁には、各々、矩形状のフィン通過窓３４が開設されている。引き出しケース３の左右両側壁の下縁内側には、ガイドレール３５が形成されている。ガイドレール３５は、引き出しケース３の前端から、後方に向かって、所定長だけ延設されている。ガイドレール３５は、上方に開口する断面Ｃ字状を呈している。ガイドレール３５の後端には、ストッパ３５０が形成されている。このため、ガイドレール３５の後端は閉じられている。
【００４０】
第二係合部８は、被係合窓８０と係合フィン８１とを備えている。第二係合部８は、カップホルダ１の左右両側に、合計二つ配置されている。一対の被係合窓８０は、前記固定ケース２の左右両側壁に、各々開設されている。被係合窓８０は、矩形状を呈している。
【００４１】
一対の係合フィン８１は、各々、矩形板状を呈している。係合フィン８１の後縁には、上下方向に延びるフィン揺動孔８１０が穿設されている。フィン揺動孔８１０には、前記フィン揺動軸３３が挿入されている。したがって、係合フィン８１は、フィン揺動軸３３を中心に、揺動可能である。また、係合フィン８１とフィン揺動軸３３との間には、スプリング（図略）が介装されている。スプリングの付勢力により、係合フィン８１は外側に付勢されている。つまり、左側の係合フィン８１は左側に、右側の係合フィン８１は右側に、各々付勢されている。
【００４２】
引き出し部材４は、樹脂製であって、下方および前方に開口する箱状を呈している。引き出し部材４は、引き出しケース３に対して、前後方向にスライド可能である。引き出し部材４の前端の左右両縁からは、各々、前方に向かって板状の被ガイドリブ４０が延設されている。被ガイドリブ４０の前端には、係合解除部４５が配置されている。被ガイドリブ４０の前縁下端には、被ガイド突起４００が形成されている。被ガイド突起４００は、前記ガイドレール３５内を、前後方向に摺動可能である。引き出し部材４の後壁下縁には、乗員が把持可能なグリップ４４が形成されている。
【００４３】
引き出し部材４の上壁下面からは、ピン揺動軸４３が突設されている。また、引き出し部材４の上壁には、円形のカップ保持部４１が凹設されている。カップ保持部４１は、本発明の使用部に含まれる。カップ保持部４１の前壁には、コイルスプリング後端用突起４２が形成されている（図３においては、説明の便宜上、コイルスプリング後端用突起４２をカップ保持部４１と別々に示す。）。コイルスプリング後端用突起４２の前面からは、円柱状の後端用ボス４２０が突設されている。
【００４４】
コイルスプリング５の後端は、この後端用ボス４２０に外嵌されている。一方、コイルスプリング５の前端は、前記コイルスプリング前端用リブ３２の前端用ボス３２０に、外嵌されている。つまり、コイルスプリング５は、後端用ボス４２０と前端用ボス３２０との間に、介装されている。コイルスプリング５は、前端用ボス３２０つまり引き出しケース３に対して、後端用ボス４２０つまり引き出し部材４を、離間させる方向に付勢している。
【００４５】
第一係合部６は、ハートカム６０と係合ピン６１とを備えている。ハートカム６０は、樹脂製であって、引き出しケース３上壁下面に固定されている。ハートカム６０は、前記コイルスプリング前端用リブ３２の後方に配置されている。
【００４６】
係合ピン６１は、樹脂製であって、揺動片６１０とピン本体６１１とを備えている。揺動片６１０は、短軸細板状を呈している。揺動片６１０の後端には、ピン揺動孔６１２が穿設されている。ピン揺動孔６１２には、前記ピン揺動軸４３が挿入されている。したがって、係合ピン６１は、ピン揺動軸４３を中心に、揺動可能である。ピン本体６１１は、揺動片６１０の前端上面から突設されている。ピン本体６１１は、前記ハートカム６０に対して、係合、解除可能である。
【００４７】
次に、本実施形態のカップホルダの収容位置から使用位置に切り替える際の動きについて説明する。図４に、本実施形態のカップホルダの収容位置における上方模式図を示す。なお、説明の便宜上、固定ケース（固定ケースに配置される部材も含む）と、引き出しケース（引き出しケースに配置される部材も含む）と、引き出し部材（引き出し部材に配置される部材も含む）とに、それぞれ別々のハッチングを施す。
【００４８】
収容位置においては、図に示すように、インストルメントパネル９表面と、引き出し部材４後面とが、略面一に配置されている。また、第一係合部６の係合ピン６１は、ハートカム６０に係合している。また、係合ピン６１とハートカム６０との係合により、コイルスプリング５（説明の便宜上、二点鎖線で示す）には、伸長方向の付勢力が蓄積されている。また、係合フィン８１は、引き出し部材４の左右両側壁の内面に当接している。また、係合フィン８１は、スプリング（図略）により、左右外側へ付勢されている。
【００４９】
図中矢印Ａで示すように、乗員が引き出し部材４後面を所定量だけ前方に押圧すると、コイルスプリング５の付勢力に抗して、引き出し部材４が前方に移動する。このため、引き出し部材４に配置された係合ピン６１も、前方に移動する。
【００５０】
図５に、図４の第一係合部の拡大図を示す。係合ピン６１が前方に移動すると、図中矢印ａで示すように、ピン本体６１１が、ハートカム６０の凹部６００から前方に突出する。つまり、ピン本体６１１が、凹部６００から外れる。このため、引き出し部材４は、コイルスプリング５の付勢力により、後方に押し出される。したがって、凹部６００から外れたピン本体６１１は、ピン揺動軸４３を中心に揺動しながら、矢印ｂ→ｃ→ｄの軌跡を辿り、後方に移動する。このようにして、ハートカム６０から係合ピン６１が解除される。ハートカム６０から係合ピン６１が解除された後も、コイルスプリング５の付勢力により、引き出し部材４は、引き続き後方にスライドする。
【００５１】
図６に、図４のガイドレール付近の拡大図を示す。図に示すように、引き出し部材４がスライドすると、被ガイド突起４００は、矢印ｅ→ｆの軌跡を辿り、ガイドレール３５内を後方に摺動する。被ガイド突起４００がストッパ３５０に当接することにより、被ガイド突起４００の摺動は終了する。つまり、引き出しケース３に対する引き出し部材４の突出動作が終了する。なお、引き出し部材４が突出することにより、係合フィン８１と引き出し部材４側壁との当接が解除される。このため、係合フィン８１は、スプリングの付勢力により、フィン揺動軸３３を中心に、外側に揺動する。係合フィン８１は、フィン通過窓３４を内側から外側に通過し、固定ケース２の左右両側壁内面に当接する。
【００５２】
図７に、本実施形態のカップホルダの収容位置から使用位置への切り替え時（引き出しケースに対する引き出し部材の突出動作終了後）における上方模式図を示す。図に示すように、引き出しケース３に対する引き出し部材４の突出動作が終了すると、引き出し部材４のグリップ４４が、インストルメントパネル９に対して、後方に突出する。乗員は、引き出し部材４に下方から手を入れることにより、このグリップ４４を把持する。そして、乗員は、図中矢印Ｂで示すように、グリップ４４つまり引き出し部材４を後方に引っ張る。前述したように、引き出し部材４の被ガイド突起４００と、引き出しケース３のストッパ３５０とは、当接している。したがって、乗員の引っ張り力は、当該当接部位を介して、引き出し部材４から引き出しケース３に伝達される。このため、引き出しケース３は、引き出し部材４と共に、後方に引き出される。並びに、ばね固定ボス３１に固定された渦巻きばね７も、リール７０から後方に引き出される。引き出しケース３の係合突起３０が、窓２０（図中一点鎖線で示す）の後縁に当接することにより、固定ケース２に対する引き出しケース３の引き出し動作が終了する。つまり、収容位置から使用位置への切り替え動作が完了する。
【００５３】
図８に、本実施形態のカップホルダの使用位置における上方模式図を示す。図に示すように、固定ケース２に開設された被係合窓８０と、引き出しケース３に開設されたフィン通過窓３４とは、左右方向に連なっている。このため、係合フィン８１は、スプリングの付勢力により、フィン揺動軸３３を中心に揺動し、被係合窓８０に進入する。係合フィン８１の断面弧状の先端は、同じく断面円弧状の被係合窓８０前縁と、係合する。この係合により、前方への付勢力が蓄積された状態で、渦巻きばね７が保持される。
【００５４】
図９に、本実施形態のカップホルダの使用位置における側方模式図を示す。図に示すように、インストルメントパネル９は、上後方から下前方に向かって、緩やかに傾斜している。カップ保持部４１の前端Ｙは、インストルメントパネル９の後端Ｘよりも、後方に配置されている。
【００５５】
図８に戻って、使用位置から収容位置への切り替えの場合は、乗員が引き出し部材４を前方に押圧する。乗員の押圧力により、引き出し部材４は、コイルスプリング５の付勢力に抗して、引き出しケース３内に収容される。そして、係合ピン６１がハートカム６０に係合する。
【００５６】
図１０に、引き出し部材が引き出しケースに収容される際の図８左側の係合解除部の動きを示す。図に示すように、引き出し部材４が引き出しケース３に収容される際、引き出し部材４の係合解除部４５は、矢印ｇ→ｈ→ｉの軌跡を辿り、移動する。係合解除部４５の移動により、係合フィン８１は前方に押圧される。このため、係合フィン８１と被係合窓８０との係合が解除される。係合解除部４５に押圧される係合フィン８１は、スプリングの付勢力に抗して、矢印ｋに示すように内側（図１０では右側）に揺動する。
【００５７】
前述したように、使用位置においては、渦巻きばね７に前方への付勢力が蓄積されている。係合フィン８１と被係合窓８０との係合が解除されると、この渦巻きばね７の付勢力が解放される。このため、ばね固定ボス３１がリール７０に向かって移動する。つまり、引き出しケース３が固定ケース２内に収容される。
【００５８】
このように、使用位置から収容位置への切り替えの場合は、１）まず引き出し部材４が引き出しケース３に収容され、２）次いで引き出しケース３が固定ケース２に収容される。１）の工程により、コイルスプリング５に、収容位置から使用位置への切り替え時に用いる付勢力が、再び蓄積される。２）の工程は、収容位置から使用位置への切り替え時に蓄積された渦巻きばね７の付勢力により実行される。
【００５９】
次に、本実施形態のカップホルダの作用効果について説明する。本実施形態のカップホルダ１によると、収容位置から使用位置へ切り替える場合は、渦巻きばね７に付勢力が蓄積される。蓄積された付勢力は、使用位置から収容位置へ切り替える際、引き出しケース３を固定ケース２に収容するのに用いられる。一方、使用位置から収容位置へ切り替える場合は、コイルスプリング５に付勢力が蓄積される。蓄積された付勢力は、収容位置から使用位置へ切り替える際、引き出し部材４を引き出しケース３から突出させるのに用いられる。
【００６０】
このように、本実施形態のカップホルダ１によると、収容位置から使用位置への切り替え操作の一部が、コイルスプリング５の付勢力により行われる。並びに、使用位置から収容位置への切り替え操作の一部が、渦巻きばね７の付勢力により行われる。このため、双方向の切り替え操作を比較的簡単に行うことができる。
【００６１】
また、コイルスプリング５の付勢力は、使用位置から収容位置への切り替えの際に蓄積される。並びに、渦巻きばね７の付勢力は、収容位置から使用位置への切り替えの際に蓄積される。すなわち、コイルスプリング５の付勢力および渦巻きばね７の付勢力の、蓄積と解放とは、双方向の切り替え操作時に、周期的に行われる。このため、切り替え操作時に、別途、コイルスプリング５および渦巻きばね７に、付勢力を蓄積する工程を加える必要がない。
【００６２】
また、本実施形態のカップホルダ１の引き出し部材４には、係合解除部４５が配置されている。このため、係合ピン６１をハートカム６０に係合させる動作、つまり引き出し部材４を引き出しケース３に収容する動作を利用して、係合フィン８１と被係合窓８０との係合を解除することができる。つまり、係合ピン６１をハートカム６０に係合させる動作と、係合フィン８１と被係合窓８０との係合を解除する動作とを、ワンモーションで行うことができる。このため、使用位置から収容位置への切り替え操作が容易である。
【００６３】
また、本実施形態のカップホルダ１によると、カップ保持部４１の前端Ｙは、インストルメントパネル９の後端Ｘよりも、後方に配置されている（前出図９参照）。このため、ペットボトルＰのような長尺のカップであっても、インストルメントパネル９に干渉することなく、カップ保持部４１に収容することができる。また、カップ保持部４１に対するペットボトルＰの出し入れも容易である。
【００６４】
また、本実施形態のカップホルダ１によると、グリップ４４が引き出し部材４の後壁下縁に配置されている。このため、収容位置において、グリップ４４が車室内に表出しない。したがって、見栄えがよい。
【００６５】
また、収容位置から使用位置に切り替える際、引き出し部材４の引き代が少ないと、乗員が引き出し部材４を引っ張りにくい。この点、本実施形態のカップホルダ１の場合、コイルスプリング５の付勢力により、引き出し部材４の引き代が出現する。このため、充分な引き代を確保することができる。したがって、乗員がグリップ４４を把持しやすい。
【００６６】
並びに、引き出し部材４の引き代が出現する際のきっかけとなるのは、引き出し部材４に対する乗員の押圧操作である。このため、着座位置からインストルメントパネル９が遠い場合であっても、収容位置から使用位置への切り替え操作が行いやすい。
【００６７】
以上、本発明の引き出し装置の実施の形態について説明した。しかしながら、実施の形態は上記形態に特に限定されるものではない。当業者が行いうる種々の変形的形態、改良的形態で実施することも可能である。
【００６８】
例えば、上記実施形態においては、カップホルダ１として本発明の引き出し装置を具現化したが、例えば小物入れ、コイン入れ、携帯電話ホルダ、カードケース、灰皿、スイッチパネル表示装置、ＥＴＣ車載器などとして具現化してもよい。また、上記実施形態においては、カップホルダ１をインストルメントパネル９に配置したが、コンソールボックス、ドアトリムなどに配置してもよい。
【００６９】
また、上記実施形態においては、第一付勢部材としてコイルスプリング５を、第二付勢部材として渦巻きばね７を、各々使用したが、第一付勢部材、第二付勢部材は、弾性的に復元可能であればよい。例えば、板ばね、トーションバー、ゴム製部材などであってもよい。
【００７０】
また、第一係合部６、第二係合部８の形態も特に限定しない。第一係合部６、第二係合部８とも、係合、解除可能であればよい。例えば、係合爪と、この係合爪が係脱可能な凹部と、により第一係合部あるいは第二係合部を構成してもよい。
【図面の簡単な説明】
【００７１】
【図１】本実施形態のカップホルダの合体斜視図である。
【図２】同カップホルダの固定ケースと引き出しケースとの分解斜視図である。
【図３】同カップホルダの引き出しケースと引き出し部材との分解斜視図である。
【図４】同カップホルダの収容位置における上方模式図である。
【図５】図４の第一係合部の拡大図である。
【図６】図４のガイドレール付近の拡大図である。
【図７】同カップホルダの収容位置から使用位置への切り替え時における上方模式図である。
【図８】同カップホルダの使用位置における上方模式図である。
【図９】同カップホルダの使用位置における側方模式図である。
【図１０】使用位置から収容位置への切り替え時における図８左側の係合解除部の動きを示す模式図である。
【符号の説明】
【００７２】
１：カップホルダ（引き出し装置）、２：固定ケース、２０：窓、２１：リール支持リブ、２１０：リール揺動孔、２２：固定リブ、２２０：固定孔、２２１：ボルト、３：引き出しケース、３０：係合突起、３１：ばね固定ボス、３２：コイルスプリング前端用リブ、３２０：前端用ボス、３３：フィン揺動軸、３４：フィン通過窓、３５：ガイドレール、３５０：ストッパ、４：引き出し部材、４０：被ガイドリブ、４００：被ガイド突起、４１：カップ保持部（使用部）、４２：コイルスプリング後端用突起、４２０：後端用ボス、４３：ピン揺動軸、４４：グリップ、４５：係合解除部、５：コイルスプリング（第一付勢部材）、６：第一係合部、６０：ハートカム、６００：凹部、６１：係合ピン、６１０：揺動片、６１１：ピン本体、６１２：ピン揺動孔、７：渦巻きばね（第二付勢部材）、７０：リール、７００：リール揺動軸、７１：ばね固定孔、８：第二係合部、８０：被係合窓、８１：係合フィン、８１０：フィン揺動孔、９：インストルメントパネル（内装パネル）。
【図１】
2006076465.tif 000003
【図２】
2006076465.tif 000004
【図３】
2006076465.tif 000005
【図４】
2006076465.tif 000006
【図５】
2006076465.tif 000007
【図６】
2006076465.tif 000008
【図７】
2006076465.tif 000009
【図８】
2006076465.tif 000010
【図９】
2006076465.tif 000011
【図１０】
2006076465.tif 000012